(57)【要約】      （修正有）【課題】携帯に便利な機能を有するディスプレイを提供する。【解決手段】前面Ｆと背面Ｂを有するディスプレイ本体１０と、ディスプレイ本体１０の下部に回動自在に連結する支え部材２０を備え、支え部材２０が形成する面とディスプレイ本体１０の前面Ｆが略直交する位置にあるときに支え部材２０はディスプレイ本体１０を直立状態に保持するスタンドとなり、支え部材２０が形成する面とディスプレイ本体１０の前面Ｆが略平行となる位置にあるときに支え部材２０はディスプレイ本体１０を手提げ型の携帯状態にするための取っ手となるように構成した。【選択図】図１
0003109356.tif 000002
【実用新案登録請求の範囲】
【請求項１】
前面と背面を有するディスプレイ本体と、このディスプレイ本体の下部に回動自在に連結する支え部材を備え、この支え部材が形成する面と前記ディスプレイ本体の前面が略直交する位置にあるときに前記支え部材は前記ディスプレイ本体を直立状態に保持するスタンドとなり、前記支え部材が形成する面と前記ディスプレイ本体の前面が略平行となる位置にあるときに前記支え部材は前記ディスプレイ本体を手提げ型の携帯状態にするための取っ手となるように構成したことを特徴とするディスプレイ。
【請求項２】
前記支え部材と前記ディスプレイ本体との間に間隙が形成され、前記支え部材が形成する面と前記ディスプレイ本体の前面が略直交する位置にあるときに前記間隙は前記ディスプレイ本体の背面の下方に位置し、前記支え部材は前記ディスプレイ本体を支える第一彎曲部を備えたことを特徴とする請求項１に記載のディスプレイ。
【請求項３】
前記支え部材は、前記第一彎曲部に少なくとも一つの滑り止め部を備えたことを特徴とする請求項２に記載のディスプレイ。
【請求項４】
前記支え部材は、管状であることを特徴とする請求項１〜３のいずれか１項に記載のディスプレイ。
【請求項５】
前記支え部材は、金属からなることを特徴とする請求項１〜４のいずれか１項に記載のディスプレイ。
【請求項６】
前記支え部材は、滑り止め材料からなることを特徴とする請求項１〜４のいずれか１項に記載のディスプレイ。
【請求項７】
前記ディスプレイ本体は、液晶ディスプレイからなることを特徴とする請求項１〜６のいずれか１項に記載のディスプレイ。
【請求項８】
前記ディスプレイ本体は、テレビからなることを特徴とする請求項１〜６のいずれか１項に記載のディスプレイ。
【請求項９】
前記ディスプレイ本体は、プラズマディスプレイからなることを特徴とする請求項１〜６のいずれか１項に記載のディスプレイ。
【請求項１０】
前記ディスプレイ本体は、有機発光ディスプレイからなることを特徴とする請求項１〜６のいずれか１項に記載のディスプレイ。
【考案の詳細な説明】
【技術分野】
【０００１】
本考案は、ディスプレイに関し、特に、取っ手とスタンドを兼ねた機能を有するディスプレイに関するものである。
【背景技術】
【０００２】
従来のディスプレイ、例えば、テレビ、液晶ディスプレイ、ノート型パソコンのモニタなどは、技術の進歩に伴い発展し、外形が軽量薄型、コンパクトであること以外にも、例えば、コンピュータに接続でき、テレビを見ることができ、音響装置に接続できるなど、一台のディスプレイに多彩な機能を有しているものが多くなってきている。そして、ユーザーは、軽量薄型の形状、画面の品質と機能を考慮に入れる他に、ディスプレイの外型に対し、更に、精巧さ、使い易さを主な購入の要件の一つとしている。
【０００３】
しかし、携帯型のディスプレイを例にとると、従来のディスプレイは決して持ち運びが便利なわけではなく、携帯時の利便性を向上させるために設計の改善が求められていた。
【考案の開示】
【考案が解決しようとする課題】
【０００４】
本考案は、上述の問題を解決し、携帯に便利な機能を有するディスプレイを提供することを目的とする。
【課題を解決するための手段】
【０００５】
本考案のディスプレイは、前面と背面を有するディスプレイ本体と、このディスプレイ本体の下部に回動自在に連結する支え部材を備え、この支え部材が形成する面と前記ディスプレイ本体の前面が略直交する位置にあるときに前記支え部材は前記ディスプレイ本体を直立状態に保持するスタンドとなり、前記支え部材が形成する面と前記ディスプレイ本体の前面が略平行となる位置にあるときに前記支え部材は前記ディスプレイ本体を手提げ型の携帯状態にするための取っ手となるように構成したことを特徴とする。
【０００６】
また、前記支え部材と前記ディスプレイ本体との間に間隙が形成され、前記支え部材が形成する面と前記ディスプレイ本体の前面が略直交する位置にあるときに前記間隙は前記ディスプレイ本体の背面の下方に位置し、前記支え部材は前記ディスプレイ本体を支える第一彎曲部を備えたことを特徴とする。
【０００７】
また、前記支え部材は、前記第一彎曲部に少なくとも一つの滑り止め部を備えたことを特徴とする。
【０００８】
また、前記支え部材は、管状であることを特徴とする。
【０００９】
また、前記支え部材は、金属からなることを特徴とする。
【００１０】
また、前記支え部材は、滑り止め材料からなることを特徴とする。
【００１１】
また、前記ディスプレイ本体は、液晶ディスプレイからなることを特徴とする。
【００１２】
また、前記ディスプレイ本体は、テレビからなることを特徴とする。
【００１３】
また、前記ディスプレイは、プラズマディスプレイからなることを特徴とする。
【００１４】
さらに、前記ディスプレイは、有機発光ディスプレイからなることを特徴とする。
【考案の効果】
【００１５】
本考案によれば、支え部材がディスプレイ本体を直立状態に保持するスタンドと、ディスプレイ本体を手提げ型の携帯状態にするための取っ手を兼ねた二重の機能を同時に有しているので、携帯に便利で高度な利便性を有するディスプレイを提供することができる。また、支え部材の位置を調整することでディスプレイ本体の角度を調整することができる。さらに、ディスプレイを設置した場所におけるディスプレイが占める空間を小さくすることができるとともに、構造が簡単であって組み立てが容易である。
【考案を実施するための最良の形態】
【００１６】
本考案についての目的、特徴、長所が一層明確に理解されるよう、以下に実施形態を例示し、図面を参照しながら、詳細に説明する。
【実施例】
【００１７】
図１は、本考案の実施例の第一位置における取っ手とスタンドを兼ねた機能を有するディスプレイ１００の斜視図を示している。図２は、本考案の実施例の第一位置におけるディスプレイ１００の側面図を示している。
【００１８】
本考案の取っ手とスタンドを兼ねた機能を有するディスプレイ１００は、ディスプレイ本体１０と支え部材２０を備えている。支え部材２０は、一般の回動自在な方法でディスプレイ本体１０の下部と連結し、ディスプレイ本体１０を支えるようになっている。支え部材２０が図２に示すような第一位置、すなわち支え部材２０が形成する面とディスプレイ本体１０の前面Ｆが略直交する位置にある時、支え部材２０は、スタンドとなり、ディスプレイ本体１０を直立状態にし、且つ、支え部材２０自体は、僅かに机の空間の一部を占め、ディスプレイ全体をより軽やかで精巧にし、大きな空間を占めないようになっている。
【００１９】
また、図２に示すように、ディスプレイ本体１０は、背面Ｂ及び前面Ｆを有し、且つ支え部材２０は、第一彎曲部２１を有し、ディスプレイ本体１０との間に間隙Ｇを形成している。本実施例では、第一彎曲部２１は、支え部材２０の中間部分にある。ディスプレイ本体１０が直立状態にある時、第一彎曲部２１は、ディスプレイ本体１０の背面Ｂの下方に位置し、ディスプレイ本体１０を支えるようになっている。
【００２０】
支え部材２０は、滑り止め部２３を備え、この滑り止め部２３は支え部材２０の第一彎曲部２１の中間部分に設置されている。支え部材２０は、金属或いはプラスチックから形成されており、その形は、管状になっている。一つの変形例として、支え部材２０はまた、滑り止め材料から形成してもよい。
【００２１】
図３は、本考案の実施例の第二位置における取っ手とスタンドを兼ねた機能を有するディスプレイ１００の斜視図を示している。支え部材２０が第二位置、すなわち支え部材２０が形成する面とディスプレイ本体１０の前面Ｆが略平行となる位置にある時、支え部材２０は、取っ手となり、ディスプレイ本体１０を携帯状態にすることができるようになっている。よって、本考案のディスプレイ１００は、便利な携帯の機能を有する。
【００２２】
本考案のディスプレイ１００について、主に、液晶ディスプレイを例に説明したがこれに限らず、例えば、テレビ、プラズマディスプレイ（ＰＤＰ）、または有機発光ディスプレイ（ＯＬＥＤ）などのその他のディスプレイであってもよい。
【００２３】
以上のように、本発明のディスプレイによれば、前面Ｆと背面Ｂを有するディスプレイ本体１０と、このディスプレイ本体１０の下部に回動自在に連結する支え部材２０を備え、この支え部材２０が形成する面と前記ディスプレイ本体１０の前面Ｆが略直交する位置にあるときに前記支え部材２０は前記ディスプレイ本体１０を直立状態に保持するスタンドとなり、前記支え部材２０が形成する面と前記ディスプレイ本体１０の前面Ｆが略平行となる位置にあるときに前記支え部材２０は前記ディスプレイ本体１０を手提げ型の携帯状態にするための取っ手となるように構成したものである。
【００２４】
また、前記支え部材２０と前記ディスプレイ本体１０との間に間隙Ｇが形成され、前記支え部材２０が形成する面と前記ディスプレイ本体１０の前面Ｆが略直交する位置にあるときに前記間隙Ｇは前記ディスプレイ本体１０の背面Ｂの下方に位置し、前記支え部材２０は前記ディスプレイ本体１０を支える第一彎曲部２１を備えたものである。
【００２５】
また、前記支え部材２０は、前記第一彎曲部２１に少なくとも一つの滑り止め部２３を備えたものである。
【００２６】
また、前記支え部材２０は、管状である。
【００２７】
上記の構成によれば、支え部材２０がディスプレイ本体１０を直立状態に保持するスタンドと、ディスプレイ本体１０を手提げ型の携帯状態にするための取っ手を兼ねた二重の機能を同時に有しているので、携帯に便利で高度な利便性を有するディスプレイを提供することができる。また、支え部材２０の位置を調整することでディスプレイ本体１０の角度を調整することができる。さらに、ディスプレイを設置した場所におけるディスプレイが占める空間を小さくすることができるとともに、構造が簡単であって組み立てが容易である。
【００２８】
以上、本考案の好適な実施例を例示したが、これは本考案を限定するものではなく、本考案の精神及び範囲を逸脱しない限りにおいては、当業者であれば行い得る少々の変更や修飾を付加することは可能である。従って、本考案が保護を請求する範囲は、実用新案登録請求の範囲を基準とする。
【図面の簡単な説明】
【００２９】
【図１】本考案の実施例の第一位置におけるディスプレイの斜視図である。
【図２】本考案の実施例の第一位置におけるディスプレイの側面図である。
【図３】本考案の実施例の第二位置におけるディスプレイの斜視図である。
【符号の説明】
【００３０】
１０  ディスプレイ本体
２０  支え部材
２１  第一彎曲部
２３  滑り止め部
１００  ディスプレイ
Ｂ  背面
Ｆ  前面
Ｇ  間隙
【図１】
0003109356.tif 000003
【図２】
0003109356.tif 000004
【図３】
0003109356.tif 000005